(57)【要約】【課題】インクチューブが抜け防止構造部から開口部側に向かってハウジングの内部に配置されるので、インクチューブの長さが長くなるという課題や、インクチューブが損傷するという課題がある。【解決手段】インクチューブ４６の延びる方向を湾曲させて配置することにより、インクチューブ４６の抜けを防止する抜け防止構造部３０と、ハウジングの側面に設けられ、抜け防止構造部３０が貫通する開口部１８５と、を備え、抜け防止構造部３０は、インクチューブ４６のヘッドユニット側が通る開口部と、水平方向に開口してインクチューブ４６のインクタンク側が通る開口部３０１を有し、抜け防止構造部３０の開口部３０１側が、開口部１８５に装着される記録装置を提供する。【選択図】図８
2015171783.tif 000002
【特許請求の範囲】
【請求項１】
インクを吐出する記録ヘッドを備え移動可能なヘッドユニットと、
前記ヘッドユニットを収容し、装置外郭を成すハウジングと、
前記ハウジングの外側に設けられ、インクを収容するインクタンクと、
前記インクタンクに収容されたインクを前記記録ヘッドに導き、前記ヘッドユニットの移動に伴って追従変形する変形可動部を有するインクチューブと、
前記インクチューブの延びる方向を湾曲させて配置することにより、前記インクチューブの抜けを防止する抜け防止構造部と、
前記ハウジングの側面に設けられ、前記抜け防止構造部が貫通する貫通部と、を備え、
前記抜け防止構造部は、前記インクチューブの前記ヘッドユニット側が通る第１の開口部と、前記インクチューブの前記インクタンク側が通る第２の開口部とを有し、前記第２の開口部は水平方向に開口し、前記抜け防止構造部の前記第２の開口部側が、前記貫通部に装着され、前記抜け防止構造部が前記貫通部に装着された状態で、前記貫通部における前記抜け防止構造部より上方を覆うカバー部材を備えることを特徴とする記録装置。
【請求項２】
請求項１に記載の記録装置であって、
前記インクチューブを支持する支持部を有し、
前記支持部に支持された前記インクチューブの高さ方向の位置と、前記ハウジングから外部に出る高さ方向の位置と、が略同一であることを特徴とする記録装置。
【請求項３】
請求項１または請求項２に記載の記録装置であって、
前記ハウジングは、装置底部を成す下ケース、装置外郭を成す中ケース、及び中ケース上部に配置される上ケースで構成され、
前記貫通部は、前記中ケースに設けられて、前記上ケース側が開放され、
前記カバー部材は、前記抜け防止構造部の移動を規制することを特徴とする記録装置。
【請求項４】
請求項３に記載の記録装置であって、
前記抜け防止構造部は、前記中ケース及び前記下ケースによって固定されることを特徴とする記録装置。
【請求項５】
請求項３または請求項４に記載の記録装置であって、
前記抜け防止構造部は、前記中ケースの外側から前記貫通部に侵入して装着されることを特徴とする記録装置。
【請求項６】
請求項１から請求項５のいずれか一項に記載の記録装置であって、
前記抜け防止構造部は、前記インクチューブの鉛直方向における上方への移動を規制する移動規制部を備えることを特徴とする記録装置。
【請求項７】
請求項１から請求項６のいずれか一項に記載の記録装置であって、
前記ヘッドユニットに設けられた前記記録ヘッドに電気的に接続されているケーブルを備え、
前記ケーブルの位置は、前記インクチューブの鉛直方向における上方の位置であって、鉛直方向から見た位置が、前記インクチューブと重なる位置に配置されることを特徴とする記録装置。
【請求項８】
請求項７に記載の記録装置であって、
前記抜け防止構造部の前記第１の開口部側に配置されて、前記インクチューブを支持する支持部と、
前記ケーブルが接続される回路基板と、を備え、
前記回路基板は、前記ヘッドユニットより副走査方向における下流側で、前記支持部より鉛直方向における上方に配置されることを特徴とする記録装置。
【請求項９】
請求項１から請求項８のいずれか一項に記載の記録装置であって、
前記インクタンクは前記ハウジングの外側に着脱可能であることを特徴とする記録装置。
【発明の詳細な説明】
【技術分野】
【０００１】
本発明は、記録装置に関する。
【背景技術】
【０００２】
インクを吐出する記録ヘッドを搭載したヘッドユニットを、往復移動させながら紙などの記録媒体にインクを噴射して画像を形成する記録装置には、装置本体のハウジングの側壁の外側にインクタンクが着脱可能に備えられたものがある。このような記録装置では、インクタンクに接続されたインクチューブがハウジングの側壁に設けられた貫通孔を通り、ハウジングの内部に配置されて記録ヘッドにインクが供給される。
使用者がインクの補充などのためにインクタンクを側壁から取り外した際に、インクチューブが外側に引っ張られることがある。そのような場合には、インクチューブが接続部から抜けてしまったり、ハウジングの内部に配置されたインクチューブの位置が移動してしまい、記録ヘッドの往復移動に支障が生じたりすることがある。
そこで、特許文献１の記録装置では、インクチューブを支持する支持部と側壁との間に、インクチューブをＳ字状に曲げて配置するための抜け止め構造部が備えられ、この抜け止め構造部によって、ハウジングの外側からインクチューブにかかる引っ張り力が低減される。
【０００３】
また、往復移動する記録ヘッドには、記録ヘッドの吐出駆動制御を行う信号を回路基板から送るためのＦＦＣ（フレキシブルフラットケーブル）が備えられる。例えば、特許文献２の記録装置では、記録ヘッドと回路基板とを接続するＦＦＣが、インクチューブの上方の位置で横断して配置される。
【先行技術文献】
【特許文献】
【０００４】
【特許文献１】特開２０１３−１７６９４５号公報
【特許文献２】特開２０１２−１５２９９３号公報
【発明の概要】
【発明が解決しようとする課題】
【０００５】
特許文献１の記録装置では、インクチューブが抜け止め構造部に配置された後、側壁に設けられた貫通部に向かって配置される。インクチューブは抜け止め構造部により、上方に向けて湾曲させ、さらに下方に向けて湾曲させて配置し、その後タンクと接続させる構造となっている。そのため、一旦上方にむけて延在後さらに下方にむけて延在後、タンクと接続されるためインクチューブの長さが長くなるという課題がある。また、インクチューブを湾曲させて配置した部分が損傷するという課題がある。
また、ハウジングの内部に配置されたインクチューブに対して、ハウジングの外側から押し込まれる力が作用すると、インクチューブの一部が曲がった湾曲部が形成されることがある。特許文献２の記録装置のように、記録ヘッドと回路基板とを接続するＦＦＣが、インクチューブの上方の位置で横断して配置されていると、インクチューブの湾曲部にＦＦＣが当接し、インクチューブの湾曲部やＦＦＣが摩耗して損傷したり、ＦＦＣに接続されたヘッドユニットの往復移動が正常に行われない場合があるという課題がある。
【課題を解決するための手段】
【０００６】
本発明は、上述の課題の少なくとも一部を解決するためになされたものであり、以下の形態または適用例として実現することが可能である。
【０００７】
［適用例１］インクを吐出する記録ヘッドを備え移動可能なヘッドユニットと、前記ヘッドユニットを収容し、装置外郭を成すハウジングと、前記ハウジングの外側に設けられ、インクを収容するインクタンクと、前記インクタンクに収容されたインクを前記記録ヘッドに導き、前記ヘッドユニットの移動に伴って追従変形する変形可動部を有するインクチューブと、前記インクチューブの延びる方向を湾曲させて配置することにより、前記インクチューブの抜けを防止する抜け防止構造部と、前記ハウジングの側面に設けられ、前記抜け防止構造部が貫通する貫通部と、を備え、前記抜け防止構造部は、前記インクチューブの前記ヘッドユニット側が通る第１の開口部と、前記インクチューブの前記インクタンク側が通る第２の開口部とを有し、前記第２の開口部は水平方向に開口し、前記抜け防止構造部の前記第２の開口部側が、前記貫通部に装着され、前記抜け防止構造部が前記貫通部に装着された状態で、前記貫通部における前記抜け防止構造部より上方を覆うカバー部材を備えることを特徴とする記録装置。
【０００８】
本適用例によれば、抜け防止構造部は、インクチューブのインクタンク側が通る第２の開口部を有し、第２の開口部は水平方向に開口し、抜け防止構造部の第２の開口部側が、貫通部に装着される。これにより、ヘッドユニット側からインクタンク側に向かうインクチューブは、抜け防止構造部を通り抜けると、水平方向にハウジングの外側に出る。そのため、抜け防止構造部より上方に引き回されることがないので、インクチューブの長さを短くすることができ、またインクチューブを湾曲させて配置した部分が形成されないため、インクチューブの損傷を低減させることができる。
【０００９】
［適用例２］前記インクチューブを支持する支持部を有し、前記支持部に支持された前記インクチューブの高さ方向の位置と、前記ハウジングから外部に出る高さ方向の位置と、が略同一であることを特徴とする上記記録装置。
【００１０】
本適用例によれば、ハウジングを外側から内側に通るインクチューブが支持部に向かって略水平状態で載置されるため、インクタンクからのインクの供給を円滑にできるとともに、インクチューブの損傷を押さえることができる。
【００１１】
［適用例３］前記ハウジングは、装置底部を成す下ケース、装置外郭を成す中ケース、及び中ケース上部に配置される上ケースで構成され、前記貫通部は、前記中ケースに設けられて、前記上ケース側が開放され、前記カバー部材は、前記抜け防止構造部の移動を規制することを特徴とする上記記録装置。
【００１２】
本適用例によれば、修理や部品交換等の際には、上ケースと中ケースとを分離し、中ケースからカバー部材を取り外せば、インクチューブをインクタンクに接続した状態で、インクチューブを中ケースから取り出すことができる。
【００１３】
［適用例４］前記抜け防止構造部は、前記中ケース及び前記下ケースによって固定されることを特徴とする上記記録装置。
【００１４】
本適用例によれば、抜け防止構造部を強固に固定できる。
【００１５】
［適用例５］前記抜け防止構造部は、前記中ケースの外側から前記貫通部に侵入して装着されることを特徴とする上記記録装置。
【００１６】
本適用例によれば、抜け防止構造部を中ケースに装着する際の組み立て作業が容易である。
【００１７】
［適用例６］前記抜け防止構造部は、前記インクチューブの鉛直方向における上方への移動を規制する移動規制部を備えることを特徴とする上記記録装置。
【００１８】
本適用例によれば、インクチューブが上方に移動してインクチューブの上方にある部材と当接することを抑制する。
【００１９】
［適用例７］前記ヘッドユニットに設けられた前記記録ヘッドに電気的に接続されているケーブルを備え、前記ケーブルの位置は、前記インクチューブの鉛直方向における上方の位置であって、鉛直方向から見た位置が、前記インクチューブと重なる位置に配置されることを特徴とする上記記録装置。
【００２０】
本適用例によれば、ヘッドユニットの往復移動に伴ってケーブルがインクチューブの上方を移動しても、移動規制部によってインクチューブが上方に移動することを抑制されるので、ケーブルがインクチューブに当接しない。これにより、ケーブルやインクチューブが摩耗して損傷しない。また、ヘッドユニットの往復移動に影響を与えないようにすることができる。
【００２１】
［適用例８］前記抜け防止構造部の前記第１の開口部側に配置されて、前記インクチューブを支持する支持部と、前記ケーブルが接続される回路基板と、を備え、前記回路基板は、前記ヘッドユニットより副走査方向における下流側で、前記支持部より鉛直方向における上方に配置されることを特徴とする上記記録装置。
【００２２】
本適用例によれば、ケーブルは、インクチューブの上方で横断するように配置されることになる。このような配置であっても、移動規制部によってインクチューブが上方に移動することを抑制されるので、ケーブルがインクチューブに当接しない。
【００２３】
［適用例９］前記インクタンクは前記ハウジングの外側に着脱可能であることを特徴とする上記記録装置。
【００２４】
本適用例によれば、カバー部材をハウジングの貫通部から取り外せば、インクチューブがインクタンクに接続された状態で、インクタンクを、ハウジングに取り付けたり、ハウジングから取り外したりすることができる。
【図面の簡単な説明】
【００２５】
【図１】記録装置の外観斜視図。
【図２】インクタンクを取り外した状態で、記録装置を背面側から見た外観斜視図。
【図３】（ａ）は、中ケースを背面側から見た斜視図、（ｂ）は、凹部の部分を拡大した斜視図。
【図４】ハウジングの内部を示す斜視図。
【図５】（ａ）は、抜け防止構造部の斜視図、（ｂ）は、抜け防止構造部の断面図。
【図６】抜け防止構造部の斜視図。
【図７】カバー部材の斜視図。
【図８】中ケースに形成された開口部に抜け防止構造部と、カバー部材とが装着された状態での断面図。
【図９】実施形態２における抜け防止構造部の斜視図。
【発明を実施するための形態】
【００２６】
以下、記録装置の実施形態について、図面に従って説明する。
（実施形態１）
図１は、実施形態１における記録装置の一例であるインクジェット式プリンター（以降は、プリンターという）１を正面側から見た外観斜視図である。プリンター１は、用紙などの被記録媒体に画像を記録する記録部３と、原稿などに描かれた画像を読み取る読取部２とをハウジング４の内部に備える。
【００２７】
ハウジング４の外側には、インクタンク５が装着部１８に着脱可能に備えられる。ハウジング４の背面側（副走査方向Ｙにおける上流側）には、用紙（不図示）を載置する用紙サポート６が設けられる。用紙サポート６には、用紙の幅方向（主走査方向Ｘ）の端部の位置を規制する用紙ガイド７，８が備えられる。用紙サポート６に載置された用紙は、ハウジング４の背面側に設けられた開口部９からハウジング４の内部に給紙され、記録部３によって記録される。
【００２８】
ハウジング４の上部には、背面側に設けられた回動軸を支点として回動可能な上側蓋部１０が設けられる。使用者は、上側蓋部１０を回動させ、ガラスなどの透明な部材から構成された原稿台（不図示）上に原稿を載置し、上側蓋部１０を閉じた状態で、読取部２によって原稿に描かれた画像を読み取らせることができる。
【００２９】
ハウジング４の正面側（副走査方向Ｙにおける下流側）には、電源のオン・オフの操作、印刷条件や読み取り条件の設定操作などを行うための操作ボタン１２、設定条件などを表示するための表示部１３が設けられた操作パネル１１が、上部を支点として回動可能に備えられる。
【００３０】
操作パネル１１の鉛直方向Ｚにおける下方には、下部を支点として回動可能な正面下側蓋部１７が設けられる。以降、下方、上方、下側、上側、上部、下部の記載は、鉛直方向Ｚにおける方向、部位をいう。正面下側蓋部１７を回動させて開けた状態にすると、記録部３によって記録された用紙が排出されるための排出用開口部（不図示）が露出する。
【００３１】
ハウジング４の正面側には、主走査方向Ｘに延設された壁面１４から背面側に向かう壁面１５が形成され、ハウジング４の正面側で図面右側には、凹部１６が形成される。使用者は、凹部１６に指を侵入させ、操作パネル１１の下端部１１ａを把持し、操作パネル１１を回動させ、操作パネル１１の傾斜角度を選択することができる。また、使用者は、凹部１６に指を侵入させ、正面下側蓋部１７の上端部１７ａに指を掛けて、正面下側蓋部１７を回動させることができる。
【００３２】
図２は、図１のインクタンク５を装着部１８から取り外した状態で、プリンター１を背面側から見た外観斜視図である。装着部１８には、図１のインクタンク５に設けられた係合部５０１，５０２と係合可能な図２の被係合部１８１，１８２が設けられる。
【００３３】
ハウジング４は、装置底部を成す下ケース４０３、装置外郭を成す中ケース４０２、及び中ケース４０２上部に配置される上ケース４０１から構成される。図３（ａ）は、中ケース４０２を背面側から見た斜視図である。中ケース４０２の側面４０２ａには、上方が開放された開口部１８５が設けられる。
【００３４】
開口部１８５の下部には、図２の抜け防止構造部３０が装着され、開口部１８５における抜け防止構造部３０より上側は、カバー部材２０が装着される。抜け防止構造部３０には、開口部３０１（図５（ａ）参照）が設けられ、抜け防止構造部３０における開口部３０１側が開口部１８５を貫通し、開口部３０１が露出した状態で開口部１８５に装着される。開口部１８５は、抜け防止構造部３０が貫通する貫通部として設けられたものである。
【００３５】
一端が図１のインクタンク５に接続されたインクチューブ４６は、図２の開口部３０１を通り、ハウジング４の内部に向かって配置される。このような構成により、インクタンク５に収容されたインクがインクチューブ４６によってハウジング４の内部に供給される。
【００３６】
本実施形態では、インクタンク５には、イエローインク、マゼンタインク、ライトマゼンタインク、シアンインク、ライトシアンインク、モノクロインクが収容され、それぞれのインクを供給するための６本のインクチューブ４６がインクタンク５から開口部３０１を通り、ハウジング４の内部に配置される。
【００３７】
図４は、上ケース４０１を取り外し、ハウジング４の内部を示す斜視図である。無端ベルト４２は、フレーム５４に備えられた駆動ローラー４３、従動ローラー４４に巻き掛けられ、回転可能に備えられる。
【００３８】
ヘッドユニット４０は、無端ベルト４２に固定され、キャリッジモーター（不図示）の駆動による駆動ローラー４３の回転により、ガイド軸４５に沿って主走査方向Ｘに往復移動する。
【００３９】
ヘッドユニット４０の下部には、インクを吐出する記録ヘッド４１が備えられる。記録ヘッド４１が主走査方向Ｘに往復移動しながら、支持部５３に沿って副走査方向Ｙに搬送される用紙にインクが噴射され、用紙に画像が記録される。
【００４０】
正面側の図面右側には、インク吸収材５５が吸収材収容部５６に備えられる。インク吸収材５５は、所謂、縁なし印刷を行ったときに、記録ヘッド４１から用紙の外側に噴射されたインクを吸収して回収する。
【００４１】
インクチューブ４６の一端は、インクタンク５に接続され、他端は、ヘッドユニット４０に着脱可能に備えられた接続部としてのアダプター５８に接続されて記録ヘッド４１と連通する。チューブ支持部４７は、主走査方向Ｘに延在する板状の部材によって構成され、インクチューブ４６を載置して支持する。
【００４２】
固定部４８は、ネジ４９によってインクチューブ４６をチューブ支持部４７に固定する。インクチューブ４６におけるヘッドユニット４０側には、変形可動部Ａが形成される。変形可動部Ａは、主走査方向Ｘにおいて折り返されて湾曲した部分で、ヘッドユニット４０の往復移動に伴って、湾曲した部分が追従変形する。
【００４３】
ヘッドユニット４０の正面側（副走査方向Ｙにおける下流側）には、電子部品（不図示）が搭載された回路基板５２が備えられる。ＦＦＣ（フレキシブルフラットケーブル）５０の一端はヘッドユニット４０に支持されて記録ヘッド４１と接続され、他端は、回路基板５２に設けられたコネクター５１に接続される。ＦＦＣ５０によって、記録ヘッド４１の吐出制御を行うための信号が伝達される。
【００４４】
回路基板５２は、主走査方向Ｘに延在するインクチューブ４６の上方の位置にあり、記録ヘッド４１の副走査方向Ｙにおける下流側に配置されている。これにより、ＦＦＣ５０は、インクチューブ４６の上方で、記録ヘッド４１側から回路基板５２に向かって副走査方向Ｙに延びて配置される。
【００４５】
すなわち、ＦＦＣ５０を上から見た位置が、インクチューブ４６と重なる位置に配置され、ＦＦＣ５０は、主走査方向Ｘに延在するインクチューブ４６を副走査方向Ｙに横断する。そして、ＦＦＣ５０は、上方に立設する壁部５７の背面側に沿って延在する。ヘッドユニット４０の主走査方向Ｘの往復移動に伴って、ＦＦＣ５０は変形し、ＦＦＣ５０におけるインクチューブ４６を横断する位置が移動する。
【００４６】
チューブ支持部４７の装着部１８側には、一体の部材によって構成された抜け防止構造部３０が備えられる。図５（ａ）は、抜け防止構造部３０の斜視図である。図５（ｂ）は、正面側から見た抜け防止構造部３０の断面図である。図６（ａ）は、上方から見た抜け防止構造部３０の斜視図である。図６（ｂ）は、主走査方向Ｘにおける開口部３０１側から見た抜け防止構造部３０の斜視図である。
【００４７】
図５（ａ）の抜け防止構造部３０の図面左側には、載置用壁部３０３、載置用壁部３０３の副走査方向Ｙの両端部から上方に立設し主走査方向Ｘに延在する壁部３０２が形成される。図５（ｂ）に示すように、載置用壁部３０３の開口部３０１側には、断面形状がＳ字状に形成された壁部３０６，３０８が形成される。壁部３０６，３０８の副走査方向Ｙの両側は、図５（ａ）の主走査方向Ｘに延在する一対の壁部３０７に接続されて支持される。
【００４８】
載置用壁部３０３の開口部３０１側の端部には、先端が下側に延びる湾曲壁部３０４が形成される。湾曲壁部３０４と壁部３０６との間には、開口部３０５（第１の開口部）が形成される。
【００４９】
図５（ａ）の開口部３０１（第２の開口部）は、先端３０９ａが上方に延びる湾曲壁部３０９（図５（ｂ）参照）、湾曲壁部３０９の下側に設けられて副走査方向Ｙに延在する下端壁部３１０、壁部３０７の端部から副走査方向Ｙにおける両側に突出する突出壁部３１１によって囲まれる部分である（図６（ｂ）参照）。
【００５０】
インクチューブ４６は、載置用壁部３０３の上面に沿って配置され、開口部３０５を通り、壁部３０６，３０８の下側の面に沿って配置され、開口部３０１を通り抜ける。インクチューブ４６の延びる方向は、図５（ｂ）に示すように、Ｓ字状に湾曲して配置される。これにより、インクチューブ４６の主走査方向Ｘの移動が規制され、インクチューブ４６がハウジング４の外側に抜けることを防止できる。
【００５１】
同様に、図示しない他の５本のインクチューブ４６が載置用壁部３０３の上面に沿って配置され、開口部３０５を通り、壁部３０６，３０８の下側の面に沿って配置され、開口部３０１を通り抜け、抜け防止構造部３０においてＳ字状に配置される。
【００５２】
インクチューブ４６の開口部３０５側は、チューブ支持部４７に向かい、インクチューブ４６の開口部３０１側は、ハウジング４の外側に出る。
【００５３】
図６（ａ）の壁部３０７の下部には貫通孔３１２が形成され、貫通孔３１２をネジが通り、下ケース４０３の底部に設けられたネジ穴（不図示）に螺合し、抜け防止構造部３０が下ケース４０３に固定される。
【００５４】
図２の中ケース４０２に抜け防止構造部３０が装着された状態において、図６（ａ）の一対の突出壁部３１１は、図３（ａ）の開口部１８５の下端部の両側に設けられた凹部１８９にそれぞれ侵入する。図３（ｂ）は、破線の円Ｂで示した凹部１８９の部分を拡大した斜視図である。
【００５５】
凹部１８９は、開口部１８５の側面１８５ａより内側に位置する壁面１８８、壁面１８８から外側に立設し、副走査方向Ｙに延設された壁部１８６、壁面１８８から外側に立設し、鉛直方向Ｚに延設された壁部１８７によって形成される。
【００５６】
抜け防止構造部３０を開口部１８５に装着するときは、中ケース４０２の外側から載置用壁部３０３側を開口部１８５に向けた姿勢で、抜け防止構造部３０を開口部１８５に貫通させ、一対の突出壁部３１１を一対の凹部１８９に侵入させる。これにより、抜け防止構造部３０の上方への移動が規制され、抜け防止構造部３０を貫通するインクチューブ４６が上方に移動することが規制される。
【００５７】
図７（ａ）、（ｂ）は、カバー部材２０の斜視図である。図２のカバー部材２０が装着部１８に装着された状態において、図７（ａ）のカバー部材２０の上壁部２０１の上端面は、装着部１８の上端面と同じ高さの位置となる。
【００５８】
図７（ｂ）の上壁部２０１の副走査方向Ｙにおける両端部には、下側に突出する一対の係合部２０３が設けられる。係合部２０３は、図３の開口部１８５の上部に設けられた一対の被係合部１８４と係合する。
【００５９】
図８は、図２の中ケース４０２に形成された開口部１８５に抜け防止構造部３０と、カバー部材２０とが装着された部分を正面側から見た断面図である。カバー部材２０の壁面２０２（図７（ａ）、（ｂ）参照）は、開口部１８５における抜け防止構造部３０の湾曲壁部３０９の上方を覆う。
【００６０】
壁面２０２の端面２０２ａは、壁部３０７の端面３０７ａ（図５（ａ）、（ｂ）参照）より上方の位置にある。これにより、抜け防止構造部３０が上方へ移動することをカバー部材２０によって規制する。また、端面３０７ａは、湾曲壁部３０９の先端３０９ａより下方の位置にある。これにより、抜け防止構造部３０は、カバー部材２０の下端部が中ケース４０２の外側に移動することを規制する。
【００６１】
抜け防止構造部３０の下端壁部３１０は、壁面１８８の中央部１８８ａ（図３（ｂ）参照）に対向する。これにより、抜け防止構造部３０が中ケース４０２の内側（図面左側）に移動することを規制する。
【００６２】
以上、本実施形態で説明した図４のプリンター１は、インクを吐出する記録ヘッド４１を備え移動可能なヘッドユニット４０と、ヘッドユニット４０を収容し、装置外郭を成すハウジング４と、ハウジング４の外側に設けられ、インクを収容するインクタンク５と、インクタンク５に収容されたインクを記録ヘッド４１に導き、ヘッドユニット４０の移動に伴って追従変形する変形可動部Ａを有するインクチューブ４６と、インクチューブ４６の延びる方向を湾曲させて配置することにより、インクチューブ４６の抜けを防止する抜け防止構造部３０と、ハウジング４の側面（中ケース４０２の側面４０２ａ）に設けられ、抜け防止構造部３０が貫通する図３の貫通部としての開口部１８５と、を備える。
【００６３】
そして、図５（ａ）の抜け防止構造部３０は、インクチューブ４６のヘッドユニット４０側が通る第１の開口部としての開口部３０５と、水平方向に開口してインクチューブ４６のインクタンク５側が通る第２の開口部としての開口部３０１とを有し、抜け防止構造部３０の開口部３０１側が、開口部１８５に装着される。
【００６４】
この構成によれば、ヘッドユニット４０側からインクタンク５側に向かうインクチューブ４６は、抜け防止構造部３０を通り抜けると、ハウジング４の外側に出る。そのため、抜け防止構造部３０より上方に引き回されることがないので、インクチューブ４６の長さを短くすることができ、また、インクチューブ４６を湾曲させて配置した部分が形成されないため、インクチューブ４６の損傷を低減させることができる。
【００６５】
また、抜け防止構造部３０が開口部１８５に装着された状態で、開口部１８５における抜け防止構造部３０より上方を覆うカバー部材２０を備える。これにより、カバー部材２０を開口部１８５から取り外せば、一方の端部がアダプター５８に接続され、他方の端部がインクタンク５に接続した状態のインクチューブ４６を開口部１８５から取り外すことができる。
【００６６】
また、チューブ支持部４７と、第２の開口部としての水平方向に開口する開口部３０１とが、鉛直方向略同一の位置にある。これにより、インクチューブ４６が開口部３０１からチューブ支持部４７に向かって略水平状態で載置されるため、インクタンク５からのインクの供給を円滑にできるとともに、インクチューブ４６の損傷を押さえることができる。
【００６７】
また、図２のハウジング４は、装置底部を成す下ケース４０３、装置外郭を成す中ケース４０２、及び中ケース４０２上部に配置される上ケース４０１で構成され、開口部１８５は、中ケース４０２に設けられて、上ケース４０１側が開放され、抜け防止構造部３０が開口部１８５に装着された状態で、カバー部材２０は、抜け防止構造部３０の移動を規制する。
【００６８】
この構成によれば、修理や部品交換等の際には、上ケース４０１と中ケース４０２とを分離し、中ケース４０２からカバー部材２０を取り外せば、インクチューブ４６をアダプター５８とインクタンク５とに接続した状態で、インクチューブ４６を中ケース４０２から取り出すことができる。
【００６９】
また、抜け防止構造部３０の突出壁部３１１が、中ケース４０２の凹部１８９に侵入した状態で、中ケース４０２の開口部１８５に装着（固定）され、下ケース４０３の底部にネジによって固定される。これにより、抜け防止構造部３０を強固に固定できる。
【００７０】
また、抜け防止構造部３０は、中ケース４０２の外側から開口部１８５に侵入して装着される。これにより、抜け防止構造部３０を中ケース４０２に装着する際の組み立て作業が容易である。
【００７１】
また、抜け防止構造部３０における壁部３０６，３０８は、インクチューブ４６が上方へ移動することを規制する移動規制部として構成される。これにより、インクチューブ４６が上方に移動してインクチューブ４６の上方にある部材と当接することを抑制する。
【００７２】
また、ヘッドユニット４０に設けられた記録ヘッド４１に電気的に接続されているケーブルとしてのＦＦＣ５０を備え、ＦＦＣ５０の位置は、インクチューブ４６の上方の位置であって、上方から見た位置が、インクチューブ４６と重なる位置に配置される。
【００７３】
この構成によれば、ヘッドユニット４０の往復移動に伴ってＦＦＣ５０がインクチューブ４６の上方を移動しても、抜け防止構造部３０における壁部３０６，３０８が、インクチューブ４６が上方に移動することを規制する移動規制部として機能する。これにより、インクチューブ４６がＦＦＣ５０に当接しないので、ＦＦＣ５０やインクチューブ４６が摩耗して損傷しない。また、ヘッドユニット４０の往復移動に影響を与えないようにすることができる。
【００７４】
また、抜け防止構造部３０の開口部３０５側に配置されて、インクチューブ４６を支持する支持部としてのチューブ支持部４７と、ＦＦＣ５０が接続される回路基板５２と、を備え、回路基板５２は、ヘッドユニット４０より副走査方向Ｙにおける下流側で、チューブ支持部４７より上方に配置される。
【００７５】
この構成によれば、ＦＦＣ５０は、インクチューブ４６の上方で横断するように配置されることになる。このような配置であっても、移動規制部としての壁部３０６，３０８が、インクチューブ４６の上方への移動を抑制するので、ＦＦＣ５０がインクチューブ４６に当接しない。
【００７６】
（実施形態２）
実施形態１では、抜け防止構造部３０は一体の部材により構成されたが、実施形態２では、２つの部材から構成された抜け防止構造部について説明する。
【００７７】
図９（ａ）は、本実施形態における抜け防止構造部８０の斜視図である。抜け防止構造部８０は、上側部材７０と下側部材６０とから構成される。上側部材７０は、副走査方向Ｙから見た断面形状が湾曲した湾曲部７０１ａ，７０１ｂ，７０１ｃを有する板状部材７０１である。それらのうちの互いに隣り合う湾曲部の突出する方向は反対方向である。すなわち、副走査方向Ｙから見た上側部材７０の断面形状はＳ字状である。
【００７８】
下側部材６０には、載置用壁部６０１、底部６０４、底部６０４の主走査方向Ｘの両端部から立設した壁部６０２，６０３が形成される。壁部６０２，６０３の上部には、それぞれ曲面６０２ａ，６０３ａが形成される。また、底部６０４の副走査方向Ｙの両端部から立設し主走査方向Ｘに延在する壁部６０５が形成される。壁部６０２，６０３，６０５によって、上側が開口した矩形状の箱部が形成される。
【００７９】
図９（ｂ）は、下側部材６０に上側部材７０が備えられた状態を示す斜視図である。上側部材７０の板状部材７０１の角部には、図９（ａ）に示すように、副走査方向Ｙに突出した４個の突出部７０２が形成される。下側部材６０の壁部６０５には、それぞれの突出部７０２と対応する４個の凹部６０８が形成され、突出部７０２が凹部６０８に係合し、下側部材６０に上側部材７０が装着される。
【００８０】
下側部材６０に上側部材７０が装着された状態で、板状部材７０１と壁部６０２，６０３、底部６０４との間には、インクチューブ４６が配置可能な隙間が設けられる。板状部材７０１と曲面６０２ａとの間には開口部８０１（第１の開口部）が形成され、板状部材７０１と曲面６０３ａとの間にはインクチューブ４６が配置可能な隙間が形成される。
【００８１】
下側部材６０の載置用壁部６０１と反対側には、副走査方向Ｙの両側に突出する突出部６０６ａを有し、副走査方向Ｙに延在する延在部６０６が形成される。延在部６０６には、主走査方向Ｘにおける図面右側が水平方向に開口する開口部６０７（第２の開口部）が形成される。
【００８２】
チューブ支持部４７（図４参照）からハウジング４の外側に向かって配置されたインクチューブ４６は、図９（ｂ）の載置用壁部６０１に載置され、開口部８０１を通り、板状部材７０１の下側に配置され、開口部６０７を通り抜ける。
【００８３】
インクチューブ４６は、板状部材７０１の湾曲部７０１ａ，７０１ｂ，７０１ｃの下側の面に沿って配置されるので、副走査方向Ｙから見てＳ字状に湾曲して配置される。同様に、図示しない他のインクチューブ４６も配置される。これにより、インクチューブ４６の主走査方向Ｘの移動が規制され、インクチューブ４６がハウジング４の外側に抜けることを防止できる。
【００８４】
実施形態１で説明したように、抜け防止構造部８０の開口部６０７側が、中ケース４０２の開口部１８５を貫通して装着される。また、載置用壁部６０１に設けられた貫通孔６０９をネジが通り、下ケース４０３の底部に設けられたネジ穴（不図示）に螺合し、抜け防止構造部８０が下ケース４０３に固定される。本実施形態における他の構成は、実施形態１で説明したプリンター１の構成と同じである。
【符号の説明】
【００８５】
１…インクジェット式プリンター、４…ハウジング、５…インクタンク、２０…カバー部材、３０，８０…抜け防止構造部、４０…ヘッドユニット、４１…記録ヘッド、４６…インクチューブ、４７…チューブ支持部、５０…ＦＦＣ（フレキシブルフラットケーブル）、５２…回路基板、１８５，３０１，３０５，６０７，８０１…開口部、４０１…上ケース、４０２…中ケース、４０３…下ケース、Ｙ…副走査方向、Ｚ…鉛直方向。
【図１】
2015171783.tif 000003
【図２】
2015171783.tif 000004
【図３】
2015171783.tif 000005
【図４】
2015171783.tif 000006
【図５】
2015171783.tif 000007
【図６】
2015171783.tif 000008
【図７】
2015171783.tif 000009
【図８】
2015171783.tif 000010
【図９】
2015171783.tif 000011